(57)【要約】【課題】複数の入力装置のタイマ予約設定をそれぞれ別々に行い、しかも１回分の予約しか出来ないタイマ予約システムでは、タイマ予約設定に時間がかかると共に生活リズムに合った複数のタイマ予約設定が出来ない。【解決手段】  複数のタイマ予約入力装置用にあらかじめ複数の設定されたタイマ予約データを記憶しておき，この記憶されたタイマ予約データを１週間単位で稼動させることにより生活リズムに合った複数のタイマ予約設定が行える。【選択図】図１
2005056522.tif 000002
【特許請求の範囲】
【請求項１】
タイマ予約機能を備える複数の再生メディアのタイマ予約データに登録番号をつけて記憶するとともに前記登録番号を２４時間単位の曜日毎のデータに構成して１週間分の曜日データとして記憶し、前記記憶された曜日データに基づいて１週間分のタイマ予約による各前記再生メディアの再生出力を行う予約再生システムにおいて、
前記タイマ予約データを入力する予約入力手段と、
前記入力されるタイマ予約データを表示する予約表示手段と、
前記タイマ予約データ及び曜日データを記憶するタイマ予約記憶手段と、
前記記憶されたタイマ予約データ及び曜日データを読み出して曜日毎のタイマ予約を行うタイマ予約手段と、
前記タイマ予約手段によりタイマ予約され稼動時に前記再生メディアから出力される再生信号を出力する再生信号出力手段と、
を有してなることを特徴とする予約再生システム。
【請求項２】
請求項１に記載の予約再生システムであって、
前記タイマ予約データを複数の再生メディアの電源起動時間と電源遮断時間と信号量設定値と再生順序として構成したことを特徴とする予約再生システム。
【請求項３】
請求項１に記載の複数の再生メディアから、所定の再生メディアを指定もしくはランダムに再生メディアを指定のいずれかを選択することを特徴とする予約再生システム。
【請求項４】
請求項１に記載の複数の再生メディアから選択した再生メディアが稼動しない場合、任意の代用再生メディアを選択することを特徴とする予約再生システム。
【請求項５】
請求項３または４において選択した再生メディアがパッケージメディアの場合、再生順序をコンテンツの先頭から順番に設定・前回再生終了位置から順番に設定・ランダムの順番に設定・プログラムの順番に設定のいずれかを選択出来るよう構成したことを特徴とする予約再生システム。
【請求項６】
請求項１から請求項５のいずれかにおける予約再生システムを制御手段によって制御させるためのプログラムであって、複数の２４時間単位のタイマ予約データと前記タイマ予約データから１週間分の曜日毎のデータを生成し、かつ前記タイマ予約データを電源起動時間と電源遮断時間と信号量設定値と再生順序として構成するとともに再生メディアを指定もしくはランダムに再生メディアを指定のいずれかを選択するとともに、選択した再生メディアが稼動しない場合任意の代用再生メディアを選択し、再生メディアがパッケージメディアの場合、その再生順序をコンテンツの先頭から順番に設定・前回再生終了位置から順番に設定・ランダムの順番に設定・プログラムの順番に設定のいずれかを選択できる事を特徴とするプログラム。
【発明の詳細な説明】
【技術分野】
【０００１】
本発明は、タイマを用いた予約再生システムに関し、複数の再生用のオーディオ機器，ビデオ機器，表示機器，ＰＣ関連機器等（以下メディアと略す）を１週間単位で稼動させるためのタイマ予約を行うものである。
【背景技術】
【０００２】
従来、例えばＣＣ(コンパクトカセットレコーダ)、ＣＤラジカセ、ＭＤラジカセもしくはミニコンポ等の1台で複数のメディアを内蔵するタイマ予約機能付きのオーディオ再生機器が広く普及している。
【０００３】
これらオーディオ再生機器に用いられるタイマ機能は簡単なものが多く、電源起動時刻を設定する目覚ましタイマ、電源遮断時刻を設定するお休みタイマ、及びこれらの複合タイマがあるが時間指定がほとんどである。そして前記３種類のタイマ機能のいずれか１つを設定し、毎日繰り返し用いられる場合が多かった。
【０００４】
例えば、タイマ予約は図７に示すように、１種類のメディア設定をして開始時刻と終了時刻を１回分設定した後，図４の（Ａ）に示すようにタイマ予約ＳＷをＯＮにして１種類のタイマ予約を繰り返し使用していた。
【０００５】
実際に家庭用製品として販売されている例としては、商品名「コンパクトコンポーネントＭＤシステム」、型名「ＳＳ−Ｄ５ＭＤ−Ｓ」（日本ビクター製）があげられる。
【０００６】
この商品はＦＭ／ＡＭチューナー、ＣＤ、ＭＤを搭載し、目覚まし／留守録／スリープタイマー／ウェイクアップボリュームの機能をタイマ予約で行うことが出来る。またプログラム演奏・リピート演奏・ランダム演奏が指定出来る。
【特許文献１】特開平８−７５５０号公報
【発明の開示】
【発明が解決しようとする課題】
【０００７】
複数のメディアにおける１種類を選択して１回分の予約しか出来ないタイマ予約では、毎日同じタイマ予約になり、1週間分の生活リズムに合った複数回のタイマ予約設定が出来ないという問題点があった。
【０００８】
本発明は以上の点に鑑みなされたもので、複数のタイマ予約データを設定して記憶しておき、この設定されたタイマ予約データを1週間単位で曜日に応じて選定登録することにより、短時間で簡単に生活リズムに合った複数のタイマ予約が行えることを目的とする。
【課題を解決するための手段】
【０００９】
上記の目的を達成するため、第１の発明の予約再生システムは、タイマ予約機能を備える複数の再生メディアのタイマ予約データに登録番号をつけて記憶するとともに前記登録番号を２４時間単位の曜日毎のデータに構成して１週間分の曜日データとして記憶し、前記記憶された曜日データに基づいて1週間分のタイマ予約による各前記再生メディアの再生出力を行う予約再生システムにおいて、前記タイマ予約データを入力する予約入力手段（リモコン１及び入力ＳＷ６）と、前記入力されるタイマ予約データを表示する予約表示手段（表示装置５）と、前記タイマ予約データ及び曜日データを記憶するタイマ予約記憶手段（タイマ予約内容記憶装置２ｄ）と、前記記憶されたタイマ予約データ及び曜日データを読み出して曜日毎のタイマ予約を行うタイマ予約手段（コントローラ２）と、前記タイマ予約手段によりタイマ予約され稼動時に前記再生メディアから出力される再生信号を出力する再生信号出力手段（出力装置４）と、を有する。
【００１０】
上記の目的を達成するため、第２の発明のタイマ予約システムは、請求項１に記載の予約再生システムであって、前記タイマ予約データを複数の再生メディアの電源起動時間と電源遮断時間と再生順序と信号量設定値として構成する。
【００１１】
上記の目的を達成するため、第３の発明のタイマ予約システムは、請求項１に記載の複数の再生メディアから、所定の再生メディアを指定もしくはランダムに再生メディアを指定のいずれかを選択する。
【００１２】
上記の目的を達成するため、第４の発明のタイマ予約システムは、請求項１に記載の複数の再生メディアから選択した再生メディアが稼動しない場合、任意の代用再生メディアを選択する。
【００１３】
上記の目的を達成するため、第５の発明のタイマ予約システムは、請求項３または請求項４において選択した再生メディアであって、パッケージメディアの再生順序をコンテンツの先頭から順番に設定・前回再生終了位置から順番に設定・ランダムの順番に設定・プログラムの順番に設定のいずれかを選択出来るよう構成する。
【００１４】
上記の目的を達成するため、第６の発明の予約再生システムに使用するプログラムは、請求項１から請求項５のいずれかにおける予約再生システムを制御手段（中央演算装置２ｂ）によって制御させるためのプログラムであって、複数の２４時間単位のタイマ予約データと前記タイマ予約データから１週間分の曜日毎のデータを生成し、かつ前記タイマ予約データを電源起動時間と電源遮断時間と再生順序と信号量設定値として構成するとともに、再生メディアを指定もしくはランダムに再生メディアを指定のいずれかを選択するとともに、選択した再生メディアが稼動しない場合任意の代用再生メディアを選択し、選択された再生メディアがパッケージメディアの場合、再生順序をコンテンツの先頭から順番に設定・前回再生終了位置から順番に設定・ランダムの順番に設定・プログラムの順番に設定のいずれかを選択できる。
【発明を実施するための最良の形態】
【００１５】
図１は、複数の入力装置（入力装置Ａ〜入力装置Ｅ）を内蔵して複数のタイマ予約が出来る電子機器の概要を示す図である。この電子機器には複数の設定されたタイマ予約データを記憶しておき、この設定されたタイマ予約データを1週間単位で曜日に応じて選定して登録することにより、短時間で簡単に生活リズムに合った複数のタイマ予約を行うもので、タイマ予約をするリモコン１及び入力ＳＷ６、入力装置３及び出力装置４を制御するコントローラ２、入力装置３、出力装置４、リモコン１及び入力ＳＷ６による予約の内容を表示する表示装置５から構成される。
【００１６】
図１の電子機器の内容について以下に説明すると、まず、リモコン１及び入力ＳＷ６は予約時のデータを、或いは予約しない時は電子機器自体の操作データを、入力するものである。そして、コントローラ２はリモコン１及び入力ＳＷ６のインターフェース２ａ、中央演算装置２ｂ、入力装置用インターフェース２ｃ、タイマ予約内容記憶装置２ｄ、入力信号選択／出力信号調整装置２ｅより構成される。
【００１７】
複数の入力装置３は、図２の（Ａ）に示すようにオーディオ機器の場合、チューナ、コンパクトカセット（ＣＣ）、コンパクトディスク（ＣＤ）、ミニディスク（ＭＤ）、その他（例えばＩＣメモリ等を使用したメモリ媒体）、図２の（Ｃ）に示すようにビデオ機器の場合、ＳＴＢ，ＶＴＲ，ＤＶＤ，ＨＤＤ，その他（例えばデジタルスチルカメラ、携帯電話等を使用したビデオ媒体）が例として考えられる。
【００１８】
複数の出力装置４ではオーディオアンプとスピーカが主であるが，スピーカを内蔵する表示ディスプレイ等で代用しても良い。
【００１９】
また複数の入力装置と複数の出力装置を総称して再生専用の再生メディア（以下メディアと略す）と表現する。
【００２０】
表示装置５は液晶，ＥＬ等の表示機能を持つ素子より構成される。
【００２１】
また、図２の（Ｂ）は表示装置５に大型の表示ディスプレイ７を追加したもので、リモコン１及び入力ＳＷ６による予約時のデータ内容を詳細に表示するためのものである。図２の（Ｃ）においてはビデオの画像表示も兼用する。
【００２２】
この電子機器は、図１に示すタイマ予約内容記憶装置２ｄに予約内容（メディアＮｏ、予約Ｎｏ、曜日設定）をあらかじめリモコン１及び入力ＳＷ６を用いて記憶させておき、リモコン１または入力ＳＷ６のタイマ予約ＳＷのＯＮ、ＯＦＦによりタイマ予約の実行を行う。
【００２３】
入力装置３はタイマ予約に基づき開始時刻になると、入力装置３のなかでタイマ予約が設定されたメディアの電源がＯＮになり、コントローラ２へ電源がＯＮされたメディアから再生信号を送りコントローラ２で選択されると共に再生信号量が設定されて出力装置４に送られる。そして出力装置４から外部に再生信号が出力される。それからタイマ予約に基づき終了時刻がくると設定されたメディアの電源はＯＦＦされ入力装置３のタイマ予約再生は終了する。
【００２４】
タイマ予約の設定にあたり、まず図３の（Ａ）に示すように１日分のタイマ予約を想定した予約Ｎｏの登録を行う。１日分２４時間を想定し１週間分のタイマ予約をまとめて登録する。曜日が異なっても登録内容が同じものに対しては共通に使用し、重複したタイマ予約を省略する。また同じ曜日でも、例えば休日の日と休日でない日で生活リズムが異なる場合のために予め複数の登録を行っておき、実際のタイマ予約設定時に該当の予約Ｎｏを選択・割り当てる。これにより、予約内容の切り替えを行う。
【００２５】
予約Ｎｏ登録では、まず開始時刻と終了時刻を設定し、次に再生するメディアの指定を行う。再生するメディアの設定に関しては、希望のメディアに該当するメディアＮｏを選択するか、再生時にシステムが任意（ランダム）に設定するランダムかを選択する。
【００２６】
次にシステムが制御する複数のメディアについて、各々再生のための属性を設定する。
ここでは、信号量（オーディオ機器の場合音量）とパッケージメディアの場合、その再生順序を設定する。（放送系のメディアに関しては、この属性指定は無効とする。）また、以上のメディア属性については、特に設定の操作を行なわない場合、予め設定された規定値が採用される。以下具体的に示すと、
例えば音量については、以下の内容を選択・設定する。
【００２７】
Ｖ：所定の再生音量の値（固定値）
Ｃ：タイマ予約設定時にその再生メディアが設定されている再生音量
規定値として、例えば後者Ｃが予め設定される。
またパッケージメディアの場合、再生順序について、例えば以下の設定を選択する。
【００２８】
Ｓ：メディアの先頭位置より順番に
Ｎ：前回終了位置より順番に
Ｒ：ランダムの順番に
Ｐ：プログラムの順番に
規定値としては、例えばＳが予め設定される。
以下同様にしてシステムが制御する複数の再生メディアについて、各々設定を行う。
【００２９】
オーディオ機器の例の場合、これを実際のタイマ予約機能の実行時に、まずメディア設定の確認を行い予約のメディアを確認・選択しそのメディアの再生順序を確認する。メディアの先頭からであればメディアの先頭のコンテンツより順番に再生、前回終了位置であれば前回タイマ予約再生を終了した位置から順番に再生、該当のメディアの再生順序がランダム指定であればそのメディアの複数コンテンツ（曲）の中で任意のコンテンツ（例えば乱数を引いてその数に対応するコンテンツ）を選ぶ。或いは、プログラム順であればプログラム設定した順序に再生する。これに基づき再生の開始位置設定及び音量設定を行い再生する。
【００３０】
予約Ｎｏ登録とメディア設定が終了したら図３の（Ｃ）に示すように曜日設定を行う。１週間の曜日に対して予約Ｎｏをそれぞれ割り当てる。勿論、予約の割り当てのない曜日もある。ここでは，あらかじめ設定された予約Ｎｏのみを指定すれば良いので、予約者本人の生活リズムに合ったタイマ予約を簡単に行うことが出来る。この曜日設定が終了すればタイマ予約の設定操作は終了である。
【００３１】
これまで説明のタイマ予約テーブルの具体例を以下に示す。
Ａ．タイマ予約内容の設定
予約Ｎｏ    開始時刻        終了時刻        メディア設定
予約１  ：  開始時刻１１，  終了時刻１１，  メディア１
開始時刻１２，  終了時刻１２，  メディア４
開始時刻１３，  終了時刻１３，  メディア２
予約２  ：  開始時刻２１，  終了時刻２１，  Ｒ
開始時刻２２，  終了時刻２２，  メディア３
．．．．．．．．．．．．．．．．．．．．．．．．．．．．．．．．．．．．．．．．．．．．．．．．．．．．．
予約ｉ  ：  開始時刻ｉ１，  終了時刻ｉ１，  メディア５
Ｂ．メディア属性設定
メディア                        再生音量        再生順序
メディア１：パッケージメディア  Ｃ（規定値）    Ｓ（規定値）
メディア２：パッケージメディア  Ｖ２（値指定）  Ｎ
メディア３：パッケージメディア  Ｃ（規定値）    Ｒ
．．．．．．．．．．．．．．．．．．．．．．．．．．．．．．．．．．．．．．．．．．．．．．．．．．．．．
メディアｍ：放送メディア        Ｖｍ（値指定）  −（無効・指定なし）
Ｃ．曜日への予約Ｎｏの割り当て
曜日    予約Ｎｏ
月      予約１
火      予約２
水      予約３
木      予約２
金      予約３
土      解除（予約無し）
日      予約４
次にタイマ予約の動作例を図４の（Ａ）で説明する。まず，タイマ予約を行った電子機器の電源ＳＷをＯＮにする。次にリモコン１もしくは入力ＳＷ６でタイマ予約ＳＷ（入力ＳＷ）をＯＮにするとタイマ予約が開始される。その後はリモコン１もしくは入力ＳＷ６によるタイマ予約ＳＷのＯＦＦのみを受け付ける状態となり、タイマ予約ＳＷをＯＦＦにしない限りタイマ予約再生機能は１週間を１サイクルとして継続される。
【００３２】
図４の（Ｂ）はタイマ予約の詳細プログラム例である。このプログラムは図４（Ａ）のタイマ予約再生部分の具体例である。このプログラムは、図４（Ａ）に示される様に、タイマ予約ＳＷがＯＮであれば繰り返し実行され、予約内容の時刻と現在時刻とを逐次照合して、タイマ予約再生機能を実行する。フローチャートとしては、Ｓｔａｒｔ後、その日の曜日の予約設定を確認後、予約設定有りの場合、まず現在再生中かどうかを確認する。
【００３３】
再生中であれば、終了時刻または、コンテンツ（曲）の終了かどうかを確認し、終了時刻であれば再生を停止する。また終了時刻前にコンテンツ（曲）が終了であれば、次のコンテンツの再生を開始。いずれにも該当しなければ、そのままプログラムを終了する。
【００３４】
次に再生中でなければ、開始時刻を確認してＹＥＳであればメディア設定を確認し、更にメディア実装がＹＥＳであればメディア属性を確認してメディアの再生準備に入る。そして再生を開始する。
【００３５】
メディア実装の判定は、予約されたメディアの準備状態を調査して行う。例えばＣＤの場合ディスクが入っていないとか、ＣＣの場合テープ挿入されていない場合、メディア実装をＮｏと判断して、代用メディア設定を行う。
【００３６】
図５に図４（Ｂ）に示されるメディア設定確認の詳細図を示す。この図は再生メディアＮｏが特定のメディアに指定されているか、ランダムに設定されているかを確認し、ランダムに設定されている場合、乱数を引いて再生メディアを選択するプログラムの具体例である。ランダムの場合、例えば正の整数のランダム関数を実行して得られた値Ｒから、システムが制御しているメディアの数Ｍで引き算を繰り返し、Ｍより小さい数になれば、（メディアＮｏが１から昇順の場合）１を加算しメディアＮｏとして採用する。
【００３７】
図６に図４（Ｂ）に示される再生開始位置設定の詳細図を示す。この図はパッケージメディアの再生時に、コンテンツをランダムに再生に指定されているかその他の順番で再生に指定されているかを確認し、ランダムに設定されている場合、同様に乱数を引いて次の再生コンテンツを選択するプログラムの具体例である。ランダムの場合、例えば正の整数のランダム関数を実行して得られた値Ｒから、再生メディアの有するコンテンツ（曲）の数Ｎで引き算を繰り返し、Ｎより小さい数になれば、（コンテンツＮｏが１から昇順の場合）１を加算しこれから再生するコンテンツＮｏとして採用する。尚、上記に説明した様なランダム性を実現するにあたり、例えばプログラム実行時の時・分・秒等の値を用いて適当な演算を行ない、擬似的な乱数を生成する事により実現しても良い。
【産業上の利用可能性】
【００３８】
以上述べてきた予約再生システムに付いてのオーディオ機器としてはＤＶＤオーディオやＳＡＣＤオーディオに利用可能性が考えられる。またロボット歌手や自動ピアノなどのオーディオ機器にも十分応用できる。またシステムの構成として、ネットワークを用いたホームサーバ等にも応用が可能である。
【図面の簡単な説明】
【００３９】
【図１】本発明のタイマ予約システムの概要を示す図である。
【図２】本発明によるタイマ予約システムの応用例を示す図である。
【図３】本発明によるタイマ予約例を説明する図である。
【図４】本発明によるタイマ予約の動作例を説明する図である。
【図５】本発明のメディア設定のソフト例を示す図である。
【図６】本発明のランダム設定確認のソフト例を示す図である。
【図７】従来のタイマ予約システムの概要を示す図である。
【符号の説明】
【００４０】
１    リモコン          （予約入力手段）
２    コントローラ      （タイマ予約手段）
２ｂ  中央演算装置      （制御手段）
２ｄ  タイマ予約内容記憶装置  （タイマ予約記憶手段）
３    入力装置
４    出力装置          （再生信号出力手段）
５    表示装置          （予約表示手段）
６    入力ＳＷ          （タイマ稼動手段）
７    表示ディスプレイ
【図１】
2005056522.tif 000003
【図２】
2005056522.tif 000004
【図３】
2005056522.tif 000005
【図４】
2005056522.tif 000006
【図５】
2005056522.tif 000007
【図６】
2005056522.tif 000008
【図７】
2005056522.tif 000009